(57)【要約】  【課題】既設窓枠を取り外すことなく新設窓枠を取り付けることができる改装サッシに関する発明であり、特に、既設窓枠と新設窓枠との間に介装部材を介して新設窓枠を取り付ける改装サッシにおいて、介装部材を介することによって、既設窓枠と新設窓枠との間に形成された空間を塞ぐと同時に、躯体に歪みや撓み、傾きなどの不具合があっても、簡単に不具合を補正して改装できる改装サッシ及びサッシの改装方法を提供する。  【解決手段】既設窓枠を取り外すことなく、既設窓枠に介装部材を介して新設窓枠を取り付けることができる改装サッシにおいて、介装部材を介することによって形成された既設窓枠と新設窓枠との空間を塞ぐように、既設窓枠の四辺の各枠又は躯体に取り付けられたアングルと、新設窓枠の四辺の各枠に取り付けられたフラットバーとが設けられ、アングルとフラットバーとが重なるように取り付けられたことを特徴とするサッシの改装方法。【選択図】  図１
2009144373.tif 000002
【特許請求の範囲】
【請求項１】
既設窓枠を取り外すことなく、既設窓枠に介装部材を介して新設窓枠を取り付けることができる改装サッシにおいて、
介装部材を介することによって形成された既設窓枠と新設窓枠との空間を塞ぐように、
既設窓枠の四辺の各枠又は躯体に取り付けられたアングルと、
新設窓枠の四辺の各枠に取り付けられたフラットバーと、
が設けられ、
アングルとフラットバーとが重なるように取り付けられた
ことを特徴とするサッシの改装方法。
【請求項２】
既設窓枠を取り外すことなく、既設窓枠に介装部材を介して新設窓枠を取り付けることができる改装サッシにおいて、
介装部材を介することによって形成された既設窓枠と新設窓枠との空間のうち、室内側の空間のみを塞ぐように、
既設窓枠の四辺の各枠又は躯体に取り付けられたアングルと、
新設窓枠の四辺の各枠に取り付けられたフラットバーと、
が設けられ、
アングルとフラットバーとが重なるように取り付けられた
ことを特徴とするサッシの改装方法。
【請求項３】
既設窓枠を取り外すことなく、既設窓枠に介装部材を介して新設窓枠を取り付けることができる改装サッシにおいて、
介装部材を介することによって形成された既設窓枠と新設窓枠との空間のうち、室内側の空間のみを塞ぐようにして、
既設窓枠の四辺の各枠又は躯体に取り付けられたアングルが、
新設窓枠の四辺の各枠に重なるように取り付けられた
ことを特徴とするサッシの改装方法。
【請求項４】
既設窓枠を取り外すことなく、既設窓枠に介装部材を介して新設窓枠を取り付けることができる改装サッシにおいて、
介装部材を介することによって形成された既設窓枠と新設窓枠との空間のうち、室内側の空間のみを塞ぐようにして、
新設窓枠の四辺の各枠に取り付けられたフラットバーが、
新設窓枠の四辺の各枠に重なるように取り付けられた
ことを特徴とするサッシの改装方法。
【請求項５】
既設窓枠を取り外すことなく、既設窓枠に介装部材を介して新設窓枠を取り付けることができる改装サッシにおいて、
介装部材を介することによって形成された既設窓枠と新設窓枠との空間のうち、室外側の空間のみを塞ぐように、
新設窓枠の四辺の各枠に取り付けられたフラットバー
が設けられ、
フラットバーを、既設窓枠の四辺の各枠に重なるように取り付けた
ことを特徴とするサッシの改装方法。
【請求項６】
前記のアングルは、
断面がＬ字形の形状を成している
ことを特徴とする請求項１から請求項５のいずれかに記載のサッシの改装方法。
【請求項７】
前記のアングルは、
窓枠に平行な面の内周側の端部が、窓枠側に突出した形状を成している
ことを特徴とする請求項１から請求項６のいずれかに記載のサッシの改装方法。
【請求項８】
前記のフラットバーは、
内周側の端部が、窓枠側に突出した形状を成している
ことを特徴とする請求項１から請求項７のいずれかに記載のサッシの改装方法。
【請求項９】
請求項１から請求項８までのいずれかの改装方法によって改装した
ことを特徴とする改装サッシ。
【発明の詳細な説明】
【技術分野】
【０００１】
本発明は、本願発明は、既設窓枠を取り外すことなく、新設窓枠を取り付けることができる改装サッシに関する発明であり、特に、既設窓枠と新設窓枠との間に介装部材を介して新設窓枠を取り付ける改装サッシにおいて、介装部材を介することによって、既設窓枠と新設窓枠との間に形成された空間を、極めてシンプルな形状を成した部材を安価で簡便な構造によって塞ぐと同時に、躯体に歪みや撓み、傾きなどの不具合があっても、本願発明に係る部材と、部材を用いた構造とによって簡単に不具合を補正して改装できる改装サッシ及びサッシの改装方法に関するものである。
【背景技術】
【０００２】
従来より、建物の窓枠を改装する工事方法において、既設窓枠を取り外すことなく、新設窓枠を簡単に取り付けることができる、いわゆるカバー工法と言われる方法が知られている。
この工法は、既設窓枠を取り外す必要が無いため、外壁等を壊す必要が無く、また足場が不要、工事音が少ない、工期が短い、粉塵・廃棄物が出ない、など様々な利点があり、サッシを改装する方法として非常に有用である。
そして、現在では、多くのカバー工法に関する発明がなされているが、本願発明は、特に、既設窓枠と新設窓枠との間に介装部材を介して新設窓枠を取り付ける改装サッシ及びサッシの改装方法に関する発明である。
【０００３】
この介装部材を介して新設窓枠を取り付ける改装サッシ及びサッシの改装方法は、介装部材を介することによって、既設窓枠と新設窓枠との間に空間が形成され、この空間が窓枠の四周にわたって室内外を連通している。
そこで、前記の空間を塞ぐことが必要になり、そのための部材を要する。
【０００４】
この空間を塞ぐ従来技術として、下記特許文献が開示されている。
下記特許文献に係る発明によれば、新設窓枠の室外側外周部に外部アタッチメントを備え、この外部アタッチメントによって、新設窓枠と既設窓枠との間に形成される空間を塞いでいる。
【特許文献１】特開平９−１３７９７号公報
【発明の開示】
【発明が解決しようとする課題】
【０００５】
しかし、サッシの改装が必要な場合というのは、そもそも窓枠の周りの柱や梁などの躯体に、歪みや撓み、傾きなどの不具合が生じている場合が多く、この不具合が生じた状態のまま新設窓枠を取り付けても、既設窓枠との間に生じる空間が四辺で一定ではなく、例えば、窓枠の上枠が水平でない場合などが挙げられるが、窓枠のサイズが大きければ大きいほど、このような不具合は大きく生じているのが通常である。
【０００６】
さらに、このような躯体の歪みや撓み、傾きは、上下方向、左右方向にだけ生じるのではなく、水平方向にも生じることがあり、３次元的に生じる。
また、このような躯体の不具合は、全て一様ではなく、個別に異なるものである。
そのため、サッシの改装は、個別に異なる躯体に合わせて行わなければならないため効率が悪く、また施工においては高度の熟練を要し、一度窓枠を溶着した後に傾き等が発見されても、後から補正できないという問題があった。
【０００７】
しかし、上記特許文献に係る発明は、外部アタッチメントを新設窓枠に備えたアンカーに固定するという構造であるため、新設窓枠に外部アタッチメントを予め固着した状態で既設窓枠に取り付けようとすると、既設窓枠に固定してある下地材に対して新設窓枠に備えたアンカーを移動させて取付位置を調整することができない。
そのため、上述したように、躯体に、歪みや撓み、傾きなどの不具合が生じている場合には、上記特許文献に係る発明では、新設窓枠を既設窓枠に取り付けることができないおそれがある。
【０００８】
また、上記特許文献に係る発明の他、従来から、前記の空間を塞ぐ部材として、曲げ加工またはプレス成形された曲板、あるいは押出形材などが使用されていた。
しかし、これらの部材は、前述した躯体の不具合から生じる問題から、個々の窓枠に合わせてオーダーメイドで製作することが行われていたため、工費も高額になってしまっていた。
さらに、この曲板、押出形材などの部材の製作には、綿密な現場調査と正確な採寸が求められる。
しかし、不具合の重度が大きければ大きいほど、採寸箇所を増やしたり、正確な採寸が求められるが、採寸箇所が足りなかったり、採寸が不正確であれば、製作した曲板、押出形材などの部材は、当然無駄になってしまい、再度採寸して、製作し直さなければならない。
【０００９】
しかし、現場調査と採寸には、専門的知識や熟練した経験が必要な上に、人的負担も大きく、工費を増加させる要因となっている。
また、新設窓枠を溶接で取り付ける場合、溶接機が必要になり、火災発生の恐れが生じる。
サッシの改装には、建物を使用しながら施工することが多いため、工期が短く簡便に施工できることは重要であるが、さらに火災発生の恐れが無いことも重要な点である。
【００１０】
そこで、本願発明は、上述した問題に鑑みてなされた、既設窓枠を取り外すことなく新設窓枠を取り付けることができる改装サッシに関する発明であり、特に、既設窓枠と新設窓枠との間に介装部材を介して新設窓枠を取り付ける改装サッシにおいて、介装部材を介することによって、既設窓枠と新設窓枠との間に形成された空間を、極めてシンプルな形状を成した部材を安価で簡便な構造によって塞ぐと同時に、躯体に歪みや撓み、傾きなどの不具合があっても、本願発明に係る部材と、部材を用いた構造とによって簡単に不具合を補正して改装できる改装サッシ及びサッシの改装方法を提供することを課題とするものである。
【課題を解決するための手段】
【００１１】
上記課題を解決するため、本発明においては、次の技術的手段を講じている。
【００１２】
本発明の請求項１に係るサッシ改装方法は、
既設窓枠を取り外すことなく、既設窓枠に介装部材を介して新設窓枠を取り付けることができる改装サッシにおいて、
介装部材を介することによって形成された既設窓枠と新設窓枠との空間を塞ぐように、
既設窓枠の四辺の各枠又は躯体に取り付けられたアングルと、
新設窓枠の四辺の各枠に取り付けられたフラットバーと、
が設けられ、
アングルとフラットバーとが重なるように取り付けられた
ことを特徴としている。
【００１３】
本請求項に係る発明は、介装部材を介することによって、既設窓枠と新設窓枠との間に形成された空間を、極めてシンプルな形状を成した安価な部材を使って簡便な構造によって塞ぐと同時に、躯体に歪みや撓み、傾きなどの不具合があっても、本願発明に係る部材と、部材を用いた構造とによって簡単に不具合を補正して改装できるサッシの改装方法を提供するものである。
【００１４】
既設窓枠とは、サッシの改装前に既に設けられている窓枠のことを言う。
新設窓枠とは、既設窓枠の内周側に設けられる新しい窓枠のことを言う。
介装部材とは、既設窓枠と新設窓枠との間に介在する、既設窓枠と新設窓枠とを固着させる部材を言う。
【００１５】
介装部材とは、例えば、アンカーや、鉄筋などの棒材、ボルトなどが挙げられる。
アンカーは、既設窓枠と新設窓枠の両方又はいずれか一方に取り付けられ、既設窓枠と新設窓枠とを繋ぐ役割を果たすものである。
ボルトは、既設窓枠を躯体に固定する等のために、既設窓枠に差し込まれるものである。
鉄筋などの棒材は、アンカーを介して、又はアンカーを介さずに直接に、既設窓枠と新設窓枠とを溶接などによって溶着する部材である。
【００１６】
アングルは、既設窓枠の四辺の各枠に沿って、既設窓枠の四辺の各枠又は躯体に取り付けられる部材である。
アングルの取り付け場所は、既設窓枠や躯体の状況によって替えることができる。
アングルは、その取り付け位置によって、３次元的に生じた躯体の歪みや撓み、傾きなどの不具合のうち、水平方向の補正を担う部材である。
すなわち、アングルの取り付け位置を変えることで、窓枠に対して垂直方向に生じた不具合を補正して、改装サッシを取り付けることができる。
アングルは、既設窓枠又は躯体に、ビス留めされて取り付けても良いし、粘着テープなどで取り付けても良い。
【００１７】
また、アングルは、フラットバーとによって空間を塞ぐ必要があるので、窓枠に対して平行な面を有する。
この窓枠に対して平行な面をフラットバーに重ねることで、既設窓枠と新設窓枠との間に形成された空間を塞ぐことができる。
【００１８】
アングルの形状は、既設窓枠又は躯体に取り付ける面と、窓枠に平行な面とを、最低限有する形状であればいずれの形状でもよく、例えば、断面形状はＬ字形やＴ字形、またはコ字形などの形状でも良い。
また、窓枠に平行な面は、必ずしも完全に窓枠に平行でなくても良く、フラットバーとによって、既設窓枠と新設窓枠との間に形成された空間を塞ぎ、水平方向の補正を担うことができれば、フラットバー側にやや傾いた形状をなしていても良い。
【００１９】
フラットバーは、アングルとによって空間を塞ぐ部材であり、新設窓枠の四辺の各枠に取り付けられる。
フラットバーは、板状の形状をなし、新設窓枠の四辺の各枠に接着される。
フラットバーは、粘着テープや接着剤などで、新設窓枠の四辺の各枠に接着されても良いし、ビス留めされても良い。
フラットバーの短辺方向の長さは、新設窓枠の四辺の各枠を覆い、且つ一部がアングルに重なる長さであれば良い。
【００２０】
フラットバーは、新設窓枠の四辺の各枠に取り付けた際に、一部がアングルに重なるように取り付けられる。
このアングルに重なる部分の範囲を増減させることによって、３次元的に生じた躯体の歪みや撓み、傾きなどの不具合のうち、上下方向及び左右方向の補正を担う。
このアングルとフラットバーとによって、既設窓枠と新設窓枠との間に形成された空間を塞ぐと同時に、躯体に歪みや撓み、傾きなどの不具合があっても、本願発明に係る部材と、部材を用いた構造とによって簡単に不具合を補正してサッシを改装できる。
【００２１】
アングルとフラットバーとは、隙間無く接するように重ねても良い。
この場合、アングルとフラットバーとの接面を接着剤や粘着テープなどで接着させても良いし、ビス留めされても良い。
また、アングルとフラットバーとは、所定の隙間が生じるように重ねても良い。
この場合、アングルとフラットバーとの所定の隙間には、バックアップ材及びシーリング材からなる充填材を充填してコーキングを施す。
コーキングすることによって、気密性、水密性、遮音性、断熱性などを高める。
【００２２】
バックアップ材は、充填材を充填する適正な空間を確保し、多量に充填材が充填されるのを防ぐ役目を果たす。
バックアップ材は、例えばスポンジなどのように、軟質で復元性のある材質が適しているが、充填材を塞き止めることができる材質であれば、いずれでも良い。
【００２３】
本発明の請求項２に係るサッシの改装方法は、
既設窓枠を取り外すことなく、既設窓枠に介装部材を介して新設窓枠を取り付けることができる改装サッシにおいて、
介装部材を介することによって形成された既設窓枠と新設窓枠との空間のうち、室内側の空間のみを塞ぐように、
既設窓枠の四辺の各枠又は躯体に取り付けられたアングルと、
新設窓枠の四辺の各枠に取り付けられたフラットバーと、
が設けられ、
アングルとフラットバーとが重なるように取り付けられた
ことを特徴としている。
【００２４】
本請求項に係る発明は、介装部材を介することによって形成された既設窓枠と新設窓枠との空間のうち、室内側の空間のみを塞ぐと同時に、躯体に歪みや撓み、傾きなどの不具合があっても、本願発明に係る部材と、部材を用いた構造とによって簡単に不具合を補正して改装できるサッシの改装方法を提供するものである。
【００２５】
既設窓枠や新設窓枠は、多種多様の製品が作られており、全てに汎用的な部材を提供することは困難である。
そこで、既設窓枠と新設窓枠との空間のうち、室内側の空間に限って、空間を塞ぎ、躯体に生じた歪みや撓み、傾きなどの不具合を補正して改装サッシを取り付けることができるサッシの改装方法を提供することを目的とする。
【００２６】
本発明の請求項３に係るサッシ改装方法は、
既設窓枠を取り外すことなく、既設窓枠に介装部材を介して新設窓枠を取り付けることができる改装サッシにおいて、
介装部材を介することによって形成された既設窓枠と新設窓枠との空間のうち、室内側の空間のみを塞ぐようにして、
既設窓枠の四辺の各枠又は躯体に取り付けられたアングルが、
新設窓枠の四辺の各枠に重なるように取り付けられた
ことを特徴としている。
【００２７】
本請求項に係る発明は、介装部材を介することによって形成された既設窓枠と新設窓枠との空間のうち、室内側の空間を、アングルのみによって塞ぐと同時に、躯体に歪みや撓み、傾きなどの不具合があっても、本願発明に係る部材と、部材を用いた構造とによって簡単に不具合を補正して改装できるサッシの改装方法を提供するものである。
【００２８】
アングルは、単独で、介装部材を介することによって形成された既設窓枠と新設窓枠との空間を塞ぐ部材であり、既設窓枠の四辺の各枠又は躯体に取り付けられる。
アングルは、既設窓枠の四辺の各枠と略同じ長さで、各枠に沿って取り付けられる。
アングルの取り付けは、既設窓枠や躯体の状況によって替えることができる。
【００２９】
また、アングルは、その取り付け位置によって、３次元的に生じた躯体の歪みや撓み、傾きなどの不具合のうち、水平方向の補正を担う。
すなわち、アングルの取り付け位置を変えることで、窓枠に対して垂直方向に生じた不具合を補正して、改装サッシを取り付けることができる。
アングルは、既設窓枠又は躯体に、ビス留めして取り付けられても良いし、粘着テープや接着剤などで取り付けられても良い。
【００３０】
また、アングルは、新設窓枠とによって空間を塞ぐ必要があるので、新設窓枠の窓枠に対して平行な面を有する。
この窓枠に対して平行な面を新設窓枠の四辺の各枠に重なるように取り付けることで、既設窓枠と新設窓枠との間に形成された空間を塞ぐことができる。
アングルの形状は、既設窓枠又は躯体に取り付ける面と、窓枠に平行な面とを、最低限有する形状であればいずれの形状でもよく、例えば、断面形状はＬ字形やＴ字形、またはコ字形などの形状でも良い。
また、窓枠に平行な面は、必ずしも完全に窓枠に平行でなくても良く、新設窓枠の四辺の各枠とによって、既設窓枠と新設窓枠との間に形成された空間を塞ぎ、水平方向の補正を担うことができれば、窓枠側にやや傾いた形状をなしていても良い。
【００３１】
アングルと新設窓枠とは、隙間無く接するように重ねても良い。
この場合、アングルと新設窓枠との接面を接着剤や粘着テープなどで接着させても良いし、ビス留めされても良い。
また、アングルと新設窓枠とは、所定の隙間が生じるように重ねても良い。
この場合、アングルと新設窓枠との所定の隙間には、バックアップ材及びシーリング材からなる充填材を充填してコーキングを施す。
コーキングすることによって、気密性、水密性、遮音性、断熱性などを高める。
【００３２】
バックアップ材は、充填材を充填する適正な空間を確保し、多量に充填材が充填されるのを防ぐ役目を果たす。
バックアップ材は、例えばスポンジなどのように、軟質で復元性のある材質が適しているが、充填材を塞き止めることができる材質であれば、いずれでも良い。
【００３３】
本発明の請求項４に係るサッシの改装方法は、
既設窓枠を取り外すことなく、既設窓枠に介装部材を介して新設窓枠を取り付けることができる改装サッシにおいて、
介装部材を介することによって形成された既設窓枠と新設窓枠との空間のうち、室内側の空間のみを塞ぐようにして、
新設窓枠の四辺の各枠に取り付けられたフラットバーが、
新設窓枠の四辺の各枠に重なるように取り付けられた
ことを特徴としている。
【００３４】
本請求項に係る発明は、介装部材を介することによって形成された既設窓枠と新設窓枠との空間のうち、室内側の空間を、フラットバーのみによって塞ぐと同時に、躯体に歪みや撓み、傾きなどの不具合があっても、本願発明に係る部材と、部材を用いた構造とによって簡単に不具合を補正して改装できるサッシの改装方法を提供するものである。
【００３５】
フラットバーは、単独で、介装部材を介することによって形成された既設窓枠と新設窓枠との空間を塞ぐ部材であり、新設窓枠の四辺の各枠に取り付けられる。
フラットバーは、板状の形状をなし、新設窓枠の四辺の各枠に接着される。
フラットバーは、粘着テープや接着剤などで、新設窓枠の四辺の各枠に接着されても良いし、ビス留めされても良い。
フラットバーの短辺方向の長さは、既設窓枠と新設窓枠との空間を塞ぐことができ、且つ新設窓枠に重なる長さであれば良い。
フラットバーが新設窓枠に重なるとは、新設窓枠の一部に重なるのみであっても良いし、フラットバーが完全に新設窓枠を覆うように重なるのでも良い。
フラットバーが新設窓枠に重なる部分の範囲を増減させることによって、３次元的に生じた躯体の歪みや撓み、傾きなどの不具合のうち、上下方向及び左右方向の補正を担う。
【００３６】
また、フラットバーは、窓枠外周側の端部が、既設窓枠の四辺の各枠又は躯体に当接するように新設窓枠に取り付けても良いし、既設窓枠の四辺の各枠又は躯体との間で所定の隙間が生じるように新設窓枠に取り付けても良い。
フラットバーの窓枠外周側の端部と、既設窓枠の四辺の各枠又は躯体との当接箇所又は隙間に、コーキングを施す。
コーキングすることによって、気密性、水密性、遮音性、断熱性などを高める。
【００３７】
このように、フラットバーを、既設窓枠又は躯体に対して、自由な位置で、当接させ又は隙間にコーキングを施して、空間を塞ぐので、３次元的に生じた躯体の歪みや撓み、傾きなどの不具合のうち、水平方向の補正を担うことができる。
そして、既設窓枠と新設窓枠との間に形成された空間を塞ぐと同時に、躯体に歪みや撓み、傾きなどの不具合があっても、本願発明に係る部材と、部材を用いた構造とによって簡単に不具合を補正して、サッシを改装できる。
【００３８】
本発明の請求項５に係るサッシ改装方法は、
既設窓枠を取り外すことなく、既設窓枠に介装部材を介して新設窓枠を取り付けることができる改装サッシにおいて、
介装部材を介することによって形成された既設窓枠と新設窓枠との空間のうち、室外側の空間のみを塞ぐように、
新設窓枠の四辺の各枠に取り付けられたフラットバー
が設けられ、
フラットバーを、既設窓枠の四辺の各枠に重なるように取り付けた
ことを特徴としている。
【００３９】
本願発明は、介装部材を介することによって形成された既設窓枠と新設窓枠との空間のうち、室外側の空間を、フラットバーのみによって塞ぐと同時に、躯体に歪みや撓み、傾きなどの不具合があっても、本願発明に係る部材と、部材を用いた構造とによって簡単に不具合を補正して改装できるサッシの改装方法を提供するものである。
具体的には、新設窓枠の四辺の各枠に取り付けられたフラットバーを、既設窓枠の四辺の各枠に重なるようにして、既設窓枠と新設窓枠との室外側の空間を塞ぎ、躯体に生じた歪みや撓み、傾きなどの不具合を補正して、改装サッシを取り付けることができるようにしたものである。
【００４０】
フラットバーは、介装部材を介することによって形成された既設窓枠と新設窓枠との空間のうち、室外側の空間を塞ぐ部材であり、新設窓枠の四辺の各枠に取り付けられる。
フラットバーは、板状の形状をなし、新設窓枠の四辺の各枠に接着される。
フラットバーは、粘着テープや接着剤などで、新設窓枠の四辺の各枠に接着されても良いし、ビス留めされても良い。
フラットバーの短辺方向の長さは、既設窓枠と新設窓枠との空間を塞ぐことができ、且つ新設窓枠に重なる長さであれば良い。
フラットバーが新設窓枠に重なるとは、新設窓枠の一部に重なるのみであっても良いし、完全に新設窓枠を覆うように重なるのでも良い。
フラットバーが新設窓枠に重なる部分の範囲を増減させることによって、３次元的に生じた躯体の歪みや撓み、傾きなどの不具合のうち、上下方向及び左右方向の補正を担う。
【００４１】
また、フラットバーは、窓枠外周側の端部が、既設窓枠の四辺の各枠又は躯体に当接するように新設窓枠に取り付けても良いし、既設窓枠の四辺の各枠又は躯体との間で所定の隙間が生じるように新設窓枠に取り付けても良い。
フラットバーの窓枠外周側の端部と、既設窓枠の四辺の各枠又は躯体との当接箇所又は隙間に、コーキングを施す。
コーキングすることによって、気密性、水密性、遮音性、断熱性などを高める。
【００４２】
このように、フラットバーを、既設窓枠又は躯体に対して、自由な位置で、当接させ又は隙間にコーキングを施して、空間を塞ぐので、３次元的に生じた躯体の歪みや撓み、傾きなどの不具合のうち、水平方向の補正を担うことができる。
そして、既設窓枠と新設窓枠との間に形成された空間を塞ぐと同時に、躯体に歪みや撓み、傾きなどの不具合があっても、本願発明に係る部材と、部材を用いた構造とによって簡単に不具合を補正して、サッシを改装できる。
【００４３】
本発明の請求項６に係るサッシの改装方法は、
前記のアングルは、
断面がＬ字形の形状を成している
ことを特徴としている。
【００４４】
アングルの形状は、既設窓枠又は躯体に取り付ける面と、窓枠に平行な面とを、最低限有する形状とする。
そこで、本請求項に係る発明は、アングルの断面形状を、特に、Ｌ字形に限定したものである。
簡易な形状を成した安価な部材によって、簡便な構造で、既設窓枠と新設窓枠との間に形成された空間を塞ぐと同時に、躯体に歪みや撓み、傾きなどの不具合があっても、本願発明に係る部材と、部材を用いた構造とによって簡単に不具合を補正して改装できるサッシの改装方法を提供するものである。
【００４５】
本発明の請求項７に係るサッシ改装方法は、
前記のアングルは、
窓枠に平行な面の内周側の端部が、窓枠側に突出した形状を成している
ことを特徴としている。
【００４６】
突出した形状は、アングルを新設窓枠の各枠と接着させた際に、突出形状をなした部分によって、新設窓枠の各枠の内周側の端部にアングルが係止するようにしたものであり、施工性の向上を図ることを目的としたものである。
また、フラットバーや新設窓枠の窓枠との隙間に充填材を充填してコーキングを施した場合、隙間に充填した充填材が簡単に流れ出ないように塞き止める役目も果たす。
この他、新設窓枠の各枠と接着させた際に、突出した形状の部分だけ接着面積が増え、浸入する雨水を防ぐ止水効果もある。
突出した形状とは、例えば、鍵状の形状が挙げられるが、端部が窓枠側に突出した形状であれば、いずれでも良い。
また、窓枠に平行な面の内周側の端部が鋭利な形状を成していた場合には、施工者が端部に触れた際に怪我をする可能性がある。
そこで、施工の安全性を確保することも目的とする。
例えば、端部の形状は、角部を有しない曲面状にしても良い。
【００４７】
本発明の請求項８に係るサッシの改装方法は、
前記のフラットバーは、
内周側の端部が、窓枠側に突出した形状を成している
ことを特徴としている。
【００４８】
突出した形状は、フラットバーを新設窓枠の各枠と接着させた際に、突出形状をなした部分によって、新設窓枠の各枠の内周側の端部にフラットバーが係止するようにしたものであり、施工性の向上を図ることを目的としたものである。
また、アングルや新設窓枠の窓枠との隙間に充填材を充填してコーキングを施した場合、隙間に充填した充填材が簡単に流れ出ないように塞き止める役目も果たす。
この他、新設窓枠の各枠と接着させた際に、突出した形状の部分だけ接着面積が増え、浸入する雨水を防ぐ止水効果もある。
突出した形状とは、例えば、鍵状の形状が挙げられるが、端部が窓枠側に突出した形状であれば、いずれでも良い。
また、窓枠に平行な面の内周側の端部が鋭利な形状を成していた場合には、施工者が端部に触れた際に怪我をする可能性がある。
そこで、施工の安全性を確保することも目的とする。
例えば、端部の形状は、角部を有しない曲面状にしても良い。
【００４９】
本発明の請求項９に係る改装サッシは、
請求項１から請求項８までのいずれかの改装方法によって改装した
ことを特徴としている。
【発明の効果】
【００５０】
本発明では以下の効果を奏する。
【００５１】
１）介装部材を介することによって既設窓枠と新設窓枠との間に形成された空間を、極めてシンプルな形状を成した安価な部材を使って簡便な構造によって塞ぐと同時に、躯体に歪みや撓み、傾きなどの不具合があっても、本願発明に係る部材と、部材を用いた構造とによって簡単に不具合を補正してサッシを改装できる。
【００５２】
２）室内側からの施工が可能であり、足場が不要であるため、高い階層や窓枠の外側に格子があっても施工することが可能である。
【００５３】
３）ビス留めと粘着テープによる接着だけで施工できるので、工事音が少なく、粉塵・廃棄物がほとんど出ない。
【００５４】
４）寸法の誤差や、躯体に歪みや撓み、傾きなどの不具合があっても、構造によって補正することが容易であり、現場での部材の修正のための加工や、再度の採寸、再度の部材の製作が一切必要無い。
【００５５】
５）気水密性能だけでなく、遮音性、断熱性などにも優れ、外観上の見栄えも良い改装サッシを提供できる。
【００５６】
６）簡易な形状を成した安価な部材と、簡便な構造とによって施工できる。
【００５７】
７）施工の安全性を確保し、また施工性の向上を図ることができる。
【００５８】
８）無溶接でも行うことができ、養生が簡易に済む。
【００５９】
９）工期を極めて短くすることが可能で、費用も極めて安価にできる。
【発明を実施するための最良の形態】
【００６０】
以下、本発明の実施形態について図面を用いて説明する。
【００６１】
なお、以下説明する実施形態は、本願発明を簡潔に説明する都合上、新設窓枠を既設窓枠に取り付けて固定することを最初の施工手順としているが、本願発明に係る改装サッシ及びサッシの改装方法は、介装部材を介することによって既設窓枠と新設窓枠との間に形成された空間を塞ぐと同時に、躯体に歪みや撓み、傾きなどの不具合があっても、本願発明に係る部材と、部材を用いた構造とによって簡単に不具合を補正して改装できるものであるから、以下の説明による施工手順に限られず、例えば、新設窓枠にフラットバーを取り付けた後で、新設窓枠を既設窓枠に取り付けて固定しても良く、施工の順番は以下の説明に限らないものとする。
【００６２】
以下、第１の実施例を、施工手順と共に説明する。
図１は、第１の実施例に係る改装サッシを施工後の縦断面図である。
図２は、第１の実施例に係る改装サッシを施工後の横断面図である。
【００６３】
新設窓枠１は、既設窓枠２の内側に取付けて構成されたものである。
既設窓枠２は、スチール又はアルミ材から成る、上枠２ａ、左右の縦枠２ｂ、２ｃ、下枠２ｄとを枠組みして構成されたもので、躯体に除去されることなく残されたものである。
既設窓枠２は、既設窓枠の各枠２ａ〜２ｄにボルト３を差し込み、躯体に固定してある。
新設窓枠１は、スチール又はアルミ材から成る、上枠１ａ、左右の縦枠１ｂ、１ｃ、下枠１ｄとを枠組みして構成されたものである。
新設窓枠１は、新設窓枠の各枠１ａ〜１ｄの略中央に、ボルト３に螺着させたアンカー４をかしめて取り付けてある。
このようにして、介装部材３、４を介して、新設窓枠１を無溶接で既設窓枠２に取り付ける。
【００６４】
また、既設窓枠２への新設窓枠１の取り付けは、溶接で行うことも可能である。
この場合、新設窓枠１に取り付けたアンカーを、ボルト３に螺着させるのではなく、溶接によって取り付けても良いし、また既設窓枠２にもアンカーを取り付け、アンカー同士を鉄筋等の棒材を使って溶接して固定しても良い。
また、アンカー同士の固定は、溶接によらず、ビスなどによってネジ留めしても良い。
また、アンカーは、既設窓枠２と新設窓枠１の両方に取り付けるのではなく、いずれか一方に取り付けるのみでも良い。
【００６５】
既設窓枠２と新設窓枠１との間に形成された空間のうち、室内側の空間を塞ぐため、アングル５及びフラットバー６とを取り付ける。
【００６６】
アングル５を、既設窓枠２の四辺の各枠２ａ〜２ｄに取り付ける。
アングル５は、断面がＬ字形の形状を成したものを使用し、既設窓枠２に接する側の面５ａを、既設窓枠２にビス留めして固定する。
ビス留めの他、接着剤や粘着テープによっても良い。
【００６７】
アングル５は、固定位置を変えることによって、３次元的に生じた躯体の歪みや撓み、傾きなどの不具合のうち、水平方向の補正を担う。
例えば、固定したアングル５の窓枠に平行な面５ｂと、新設窓枠１に取り付けたフラットバー６との隙間が広過ぎる場合は、アングル５をより窓枠側にずらして固定しなおすことで、新設窓枠１に取り付けたフラットバー６との隙間を適正に保つことができる。
逆に、固定したアングル５の窓枠に平行な面５ｂと、新設窓枠１に取り付けたフラットバー６との隙間が狭過ぎる場合、或いは当接してしまった場合は、アングル５を窓枠側とは反対側にずらして固定しなおすことで、新設窓枠１に取り付けたフラットバー６との隙間を適正に保つことができる。
【００６８】
アングル５の形状は、既設窓枠２又は躯体に取り付ける面５ａと、窓枠に平行な面５ｂとを、最低限有する形状であればいずれの形状でもよく、例えば、断面形状がＬ字形やＴ字形、またはコ字形などの形状でも良い。
また、アングル５の、窓枠に平行な面５ｂの内周側の端部５ｃは、窓枠側に突出した鍵状の形状を成している。
突出した鍵状の形状は、フラットバー６との隙間に充填材７を充填してコーキングを施した場合、隙間に充填した充填材７が簡単に流れ出ないように塞き止める役目を果たす。
突出した形状とは、鍵状の形状以外にも、端部５ｃが窓枠側に突出した形状であれば、いずれでも良い。
また、窓枠に平行な面５ｂの内周側の端部５ｃが鋭利な形状を成していた場合には、施工者が端部５ｃに触れた際に怪我をする可能性がある。
そこで、施工の安全性を確保することも目的とする。
例えば、端部５ｃの形状は、角部を有しない曲面状にしても良い。
【００６９】
フラットバー６は、新設窓枠１の四辺の各枠１ａ〜１ｄに取り付ける。
フラットバー６は、板状の形状を成したものを使用し、新設窓枠１の各枠１ａ〜１ｄに粘着テープで固着させる。
粘着テープの他、接着剤でもビス留めでも良く、新設窓枠１の各枠１ａ〜１ｄに固着されれば、いずれの方法でも良い。
【００７０】
フラットバー６の内周側の端部６ａは、窓枠側に突出した鍵状の形状を成している。
この鍵状に形成された端部６ａを、新設窓枠１の各枠１ａ〜１ｄの内周側の端部に合わせて係止する。
突出した鍵状の形状は、フラットバー６を新設窓枠１の各枠１ａ〜１ｄと接着させた際に、突出した部分によって、新設窓枠１の各枠１ａ〜１ｄの内周側の端部にフラットバー６が係止するようにしたものであり、施工性の向上を図ることを目的としたものである。
【００７１】
突出した形状とは、鍵状の形状以外にも、端部６ａが窓枠側に突出した形状であれば、いずれでも良い。
また、内周側の端部６ａが鋭利な形状を成していた場合には、施工者が端部６ａに触れた際に怪我をする可能性がある。
そこで、施工の安全性を確保することも目的とする。
例えば、端部６ａの形状は、角部を有しない曲面状にしても良い。
【００７２】
フラットバー６は、短辺方向の長さは、新設窓枠１の四辺の各枠１ａ〜１ｄを覆い、且つ一部がアングル５に重なる長さであれば良い。
フラットバー６は、アングル５と新設窓枠１との間に差し込んで取り付ける。
【００７３】
本実施例におけるアングル５の窓枠に平行な面５ｂの長さは２０ｍｍで、フラットバー６の長さは５５ｍｍである。
そうすると、本実施例においては、アングル５の窓枠に平行な面５ｂのおよそ２０ｍｍの長さの部分で、フラットバー６を重ねることができ、既設窓枠２と新設窓枠１との間に形成された空間を塞ぐと同時に、この重なる部分を調整することによって、３次元的に生じた躯体の歪みや撓み、傾きなどの不具合のうち、上下方向、左右方向を補正することができる。
【００７４】
以上の構成により、躯体に生じた不具合のうち、水平方向の補正は、アングル５の既設窓枠２に固定する面の長さ５ａの範囲内で可能であり、また上下方向、左右方向の補正は、アングル５の窓枠に平行な面５ｂの長さの範囲内で可能である。
【００７５】
アングル５とフラットバー６とは、所定の隙間を設け、コーキングを施してある。
コーキングすることによって、気密性、水密性、遮音性、断熱性などを高める。
具体的には、隙間にバックアップ材８を挿入し、さらにシーリング材からなる充填材７を充填する。
充填材７を充填する前にバックアップ材８を設けることで、充填材７を充填する適正な空間を確保し、多量に充填材７が充填されるのを防ぐ役目を果たす。
バックアップ材８は、例えばスポンジなどのように、軟質で復元性のある材質が適しているが、充填材７を塞き止めることができる材質であれば、いずれでも良い。
【００７６】
以上のようにして、極めてシンプルな形状を成した部材を安価で簡便な構造によって塞ぐと同時に、躯体に歪みや撓み、傾きなどの不具合があっても、本願発明に係る部材と、部材を用いた構造とによって簡単に不具合を補正して改装できる改装サッシ及びサッシの改装方法を提供することができる。
また、本願発明によれば、室内側からの施工が可能で、足場が不要であるため、高い階層や窓枠の外側に格子があっても施工することができるので、多くのサッシに施工でき、また極めて短期に且つ安価に施工できる。
【００７７】
次に、既設窓枠２と新設窓枠１との間に形成された空間のうち、室外側の空間を塞ぐため、フラットバー６を取り付ける。
【００７８】
新設窓枠１の四辺の各枠１ａ〜１ｄのうち、下枠１ｄを除いた上枠１ａ、左右の枠１ｂ、１ｃにフラットバー６を取り付ける。
フラットバー６は、上述した室内側の施工で用いたものと同一のものを使用し、新設窓枠１の下枠１ｄを除いた上枠１ａ、左右の各枠１ｂ、１ｃに粘着テープで固着させる。
粘着テープの他、接着剤でもビス留めでも良く、各枠に固着されれば、いずれの方法でも良い。
フラットバー６は、その一部が既設窓枠２と重なるが、この重なる部分によって、３次元的に生じた躯体の歪みや撓み、傾きなどの不具合のうち、上下方向、左右方向の補正を担う。
フラットバー６と既設窓枠２とは、所定の隙間を設け、コーキングを施してある。
新設窓枠１の四辺の各枠１ａ〜１ｄのうち、下枠１ｄには、他のフラットバー６よりも短辺の長さが若干長いものを用いる。
このフラットバー６を、新設窓枠１の下枠１ｄに粘着テープで固着させる。
粘着テープの他、接着剤でもビス留めでも良く、各枠１ａ〜１ｄに固着されれば、いずれの方法でも良い。
フラットバー６の外周側の端部６ｂと既設窓枠２の下枠２ｄとは、所定の隙間を設け、コーキングを施してある。
このように、既設窓枠２とフラットバー６とによって、既設窓枠２と新設窓枠１との間に形成された空間を塞ぐと同時に、躯体に生じた歪みや撓み、傾きなどの不具合を補正して改装サッシを取り付けることができる。
【００７９】
こうして既設窓枠２に新設窓枠１が取付けられた改装サッシが完成する。
本願発明によれば、極めてシンプルな形状を成した安価な部材を使って簡便な構造によって、既設窓枠２と新設窓枠１との間に形成された空間を塞ぐと同時に、躯体に歪みや撓み、傾きなどの不具合があっても、簡単に不具合を補正してサッシを改装できるので、室内側からの施工が可能であり、足場が不要であるため、高い階層や窓枠の外側に格子があっても施工することが可能である。
また、ビス留めと粘着テープによる接着だけで、無溶接でも行うことができ、養生が簡易に済むので、工事音が少なく、粉塵・廃棄物がほとんど出ず、工期を極めて短くすることが可能で、費用も極めて安価にできる
【００８０】
以下、フラットバーを用いずに、アングルのみを使用した第２の実施例を、施工手順と共に説明する。
図３は、第２の実施例に係る改装サッシを施工後の縦断面図である。
図４は、第２の実施例に係る改装サッシを施工後の横断面図である。
なお、介装部材３、４を介して、新設窓枠１を既設窓枠２に取り付ける工程や方法等は、上述の第１実施例と同様である。
【００８１】
既設窓枠２と新設窓枠１との間に形成された空間のうち、室内側の空間を塞ぐため、アングル５を取り付ける。
アングル５は、既設窓枠２の四辺の各枠２ａ〜２ｄに取り付ける。
アングル５の、既設窓枠２に接する側の面５ａを、既設窓枠２の四辺の各枠２ａ〜２ｄにビス留めして固定する。
ビス留めの他、接着剤や粘着テープによっても良い。
【００８２】
このアングル５の固定は、固定位置を変えることによって、３次元的に生じた躯体の歪みや撓み、傾きなどの不具合のうち、水平方向の補正を担う。
第２の実施例は、フラットバー６を使用せず、アングル５のみによって室内側の空間を塞ぐものであるため、アングル５の窓枠に平行な面５ｂの長さを、より長くして、新設窓枠１の四辺の各枠１ａ〜１ｄを覆う長さとする。
本実施例では、アングル５の窓枠に平行な面の長さは６０ｍｍとした。
【００８３】
アングル５は、窓枠に平行な面５ｂを新設窓枠１の四辺の各枠１ａ〜１ｄに粘着テープで固着した。
粘着テープの他、接着剤でもビス留めでも良く、各枠に固着されれば、いずれの方法でも良い。
アングル５の窓枠に平行な面５ｂの端部５ｃの突出した鍵状の形状は、新設窓枠１の四辺の各枠１ａ〜１ｄの内周側の端部に合わせて係止する。
突出した鍵状の形状は、アングル５を新設窓枠１の各枠１ａ〜１ｄと接着させた際に、突出した部分によって、新設窓枠１の各枠１ａ〜１ｄの内周側の端部にアングル５が係止するようにしたものであり、施工性の向上を図ることを目的としたものである。
【００８４】
アングル５と新設窓枠１の各枠１ａ〜１ｄとが重なる部分によって、３次元的に生じた躯体の歪みや撓み、傾きなどの不具合のうち、上下方向、左右方向の補正を担う。
アングル５の形状、その他、本実施例で特に記載していないものは、第１の実施例と同様である。
また、アングル５を、敢えて新設窓枠１の各枠１ａ〜１ｄと接着させずに、所定の隙間を設けて、当該隙間にコーキングを施しても良い。
【００８５】
アングル５と新設窓枠１の四辺の各枠１ａ〜１ｄとによって、既設窓枠２と新設窓枠１との間に形成された空間を塞ぐと同時に、躯体に生じた歪みや撓み、傾きなどの不具合を補正して改装サッシを取り付けることができる。
なお、室外側の施工は、第１の実施例と同様である。
【００８６】
こうして、アングル５のみを使用した第２の実施例による改装サッシが完成する。
本願発明によれば、極めてシンプルな形状を成した安価な部材を使って簡便な構造によって、既設窓枠と新設窓枠との間に形成された空間を塞ぐと同時に、躯体に歪みや撓み、傾きなどの不具合があっても、簡単に不具合を補正してサッシを改装できるので、室内側からの施工が可能であり、足場が不要であるため、高い階層や窓枠の外側に格子があっても施工することが可能である。
また、ビス留めと粘着テープによる接着だけで、無溶接でも行うことができ、養生が簡易に済むので、工事音が少なく、粉塵・廃棄物がほとんど出ず、工期を極めて短くすることが可能で、費用も極めて安価にできる
【図面の簡単な説明】
【００８７】
【図１】第１の実施例に係る改装サッシを施工後の縦断面図である。
【図２】第１の実施例に係る改装サッシを施工後の横断面図である。
【図３】第２の実施例に係る改装サッシを施工後の縦断面図である。
【図４】第２の実施例に係る改装サッシを施工後の横断面図である。
【符号の説明】
【００８８】
１    新設窓枠
１ａ  新設窓枠の上枠
１ｂ、１ｃ  新設窓枠の左右の縦枠
１ｄ  新設窓枠の下枠
２    既設窓枠
２ａ  既設窓枠の上枠
２ｂ、２ｃ  既設窓枠の左右の縦枠
２ｄ  既設窓枠の下枠
３    ボルト
４    アンカー
５    アングル
５ａ  既設窓枠に接する側の面
５ｂ  窓枠に平行な面
５ｃ  窓枠に平行な面の内周側の端部
６    フラットバー
６ａ  内周側の端部
６ｂ  外周側の端部
７    充填材
８    バックアップ材
【図１】
2009144373.tif 000003
【図２】
2009144373.tif 000004
【図３】
2009144373.tif 000005
【図４】
2009144373.tif 000006